(57)【特許請求の範囲】
【請求項１】
コーン本体（１）又はこのコーン本体（１）に上から嵌合されるコーンカバー（４）と、この何れかに着脱自在に装着される平板状の表示部（２）とから成り、該表示部（２）に所要の表示を成すようにした表示コーンであって、
前記コーン本体（１）又はコーンカバー（４）の上下方向の少なくとも２箇所の側面に、平面視コの字形の係合受け部（１５，１６；５，６）を外方に向けて夫々突設して設け、
前記表示部（２）の前記係合受け部（１５，１６；５，６）に対応する位置に位置させて、前記表示部（２）に、弓型板バネ脱着係止部（９，１０）を夫々設け、
前記弓型板バネ脱着係止部（９，１０）が、大きな円弧状部と、該円弧の始端となる押え部（１１，１２）と、ここから弓型の突出方向に曲折した先端部（１３，１４）とから成り、
前記弓型板バネ脱着係止部（９，１０）がコの字形の前記係合受け部（１５，１６；５，６）に嵌合されたときに、該コの字形の前記係合受け部（１５，１６；５，６）に隙間を形成するような余裕を持って囲繞する大きさに構成されている、ことを特徴とする表示コーン。
【請求項２】
前記係合受け部（１５，１６；５，６）の入り口を左右に広げた導入口（１９，２０）に構成してある、ことを特徴とする請求項１に記載の表示コーン。
【発明の詳細な説明】
【技術分野】
【０００１】
本発明は、円錐、或いは多角形状のコーンに危険個所周知の書面、安全な誘導のための言葉を書いた書面、お店の営業などを付した表示コーンに関する内容である。特に書面等を付した表示部をコーンにワンタッチで取り付けることを可能とする装着機構を有する表示コーンに関するものである。なお、コーンとは工事現場などでよく見かけられる物であり、通行者に危険箇所の周知や安全誘導などを目的に土地や道路に置かれて使用されるものである。
【背景技術】
【０００２】
ホームセンターで容易に手に入るコーンは、工事現場等で危険周知の目的で書面を張り付けて通行者の安全誘導に使用されている。最近では、表示物等を取り付けるための取り付け部を有するものが開示されている。特許文献１に示すものは、複数の情報の表示を変更可能で使用できるものであって、保管にはコンパクトに折りたためる構成と成っている。また特許文献２には、コーンの首に適合する丸状の取り付け部が構成された標識プレートが記載され、これを取り替えることで種々の目的に適合するものとなっている。  
【先行技術文献】
【特許文献】
【０００３】
【特許文献１】実願２００８−３８８８
【特許文献２】特開２００３−３４９１３
【発明の概要】
【発明が解決しようとする課題】
【０００４】  しかしながら、コーンの首に表示物を係止させる構造では、悪天候時に表示物が風で剥がれ飛んでしまう問題がある。また、表示部の大きさや、取り付け位置の高さなどで表示コーン自体が飛ばされて通行者に危害を与える危険性もある。また、工事現場等では設置手間と設置効果、費用等が問題になることから、コーン単体での設置が多く見られ表示部を取り付けたコーンはあまり普及していない。そして、表示物をコーンに装着するにしても、容易に着脱でき、また、風の影響を受け難いようにすることが望まれる。
【課題を解決するための手段】
【０００５】    本発明は、上記課題を解決するために、コーン本体（１）又はこのコーン本体（１）に上から嵌合されるコーンカバー（４）と、この何れかに着脱自在に装着される平板状の表示部（２）とから成り、該表示部（２）に所要の表示を成すようにした表示コーンであって、前記コーン本体（１）又はコーンカバー（４）の上下方向の少なくとも２箇所の側面に、平面視コの字形の係合受け部（１５，１６；５，６）を外方に向けて夫々突設して設け、前記表示部（２）の前記係合受け部（１５，１６；５，６）に対応する位置に位置させて、前記表示部（２）に、弓型板バネ脱着係止部（９，１０）を夫々設け、前記弓型板バネ脱着係止部（９，１０）が、大きな円弧状部と、該円弧の始端となる押え部（１１，１２）と、ここから弓型の突出方向に曲折した先端部（１３，１４）とから成り、前記弓型板バネ脱着係止部（９，１０）がコの字形の前記係合受け部（１５，１６；５，６）に嵌合されたときに、該コの字形の前記係合受け部（１５，１６；５，６）に隙間を形成するような余裕を持って囲繞する大きさに構成されている、という手段を講じたものである。
従って、上下方向の２箇所で表示部（２）が固定されることで、安定的にコーン本体（１）と一体化され、風等で容易に剥がれ難いのである。
また、前記弓型板バネ脱着係止部（９，１０）とコの字形の前記係合受け部（１５，１６；５，６）とが、嵌合されたときに、該コの字形の前記係合受け部（１５，１６；５，６）に隙間を形成するような余裕を持って囲繞する大きさに構成されているとことから、両社の間には間隙によるゆとりが有り、風が吹いた時に平板状の表示部（２）が変位できる余裕があって、平板状の表示部（２）に風が作用した時に変位して風の力を逃がすことが可能となって、両社が完全固定される状態よりも、コーン本体（１）に対する風の影響を軽減でき、表示部（２）の剥がれやコーン本体（１）の転倒を未然に回避し易いのである。
加えて、前記間隙が形成されることで、常時は自重によって前記弓型板バネ脱着係止部（９，１０）の上部内面が前記コの字形の前記係合受け部（１５，１６；５，６）の上縁部に接当し、下方に間隙が位置される状態にあるので、表示部（２）を剥がすべくこれを持ち上げる際には、前記間隙分だけ軽く上方に変位させ易く、以って、勢いをつけて剥がし作用を行い得て、完全挟持状態から持ち上げるのに比して、剥離、係合解除を行い易くなるという作用も得られる。
【発明の効果】
【０００６】
各地で行われる公共工事や災害の発生が危惧される今日、緊急時にも対応できるように  危険箇所周知の書面、安全な誘導のための言葉を書いた書面等の表示部を事前に準備し、係合受け部を設けたコーン本体に装着する。また、普及しているコーンには係合受け部を設けたコーンカバーをコーンにかぶせて使用することで、目的とする表示部を装着することができ表示コーンとすることができる。書面等を付した表示部の装着は、係合受け部と弓型板バネ脱着係止部を整合させ、表示部をコーン本体に対して上面方向から押圧することで弓型板バネ脱着係止部の押え部が開口されて装着動作を行い、さらに押圧することで装着動作が終わると共に弓型板バネの押え部が復元力により圧接されロック状態となる。また、装着した表示部を持ち上げることで、圧接されロック状態にある弓型板バネ脱着係止部の押さえ部が、係合受け部に内側から押されることになりロック状態が解除され取り外すことが出来る。上記のシンプルな構造と簡単な操作により表示部を装着し、状況に応じて取り替えをすることができ安全で確実な方法により、通行止めや災害発生、工事中、安全確認など、また、お店等の場合は準備中や営業中などの文言を付した表示部をコーンに装着し必要箇所に設置することができ、コーンの有効利用が考えられ用途が広がる。特に緊急時には準備しておいた必用とする文言の表示部をコーンに装着することができ、通行者の安全誘導などに効果的な商品として普及を図る。
【図面の簡単な説明】
【０００７】
【図１】コーン本体にコーンカバー及び表示部を装着した代表的な斜視図。
【図２】コーン本体に係合受け部を設けた側面図。
【図３】書面などを付した表示部をコーン本体に装着する一工程を示す要部の側面図。
【図４】書面などを付した表示部をコーン本体に装着する一工程を示す要部の側面図。
【図５】コーンカバーに係合受け部を設けた斜視図。
【図６】コーンカバーと表示部の組み立て分解側面図。
【図７】コーン本体に設けた係合受け部の導入口を左右に広げた正面図。
【発明を実施するための形態】
【実施例】
【０００８】
本発明は、円錐、或いは多角形状のコーンに危険箇所周知の書面、安全な誘導のための言葉を書いた書面、お店の営業などを付した表示コーンに関するもので、特に書面等を付した表示部をコーンにワンタッチで取り付けることを可能とする装着機構を有する表示コーンに関するものである。図２のコーン本体１に書面等を付した図３の表示部２を装着するため、図２のコーン本体１に係合受け部１５、１６と、図３の表示部２に弓型板バネ脱着係止部９、１０を設け、図２のコーン本体１の係合受け部１５、１６と図３表示部２の弓型板バネ脱着係止部の先端１３、１４を整合させ、図３の書面等を付した表示部２を、図２のコーン本体１に対して上面方向から押圧することで、図３の弓型板バネ脱着係止部の押え部１１、１２が開口されて装着動作を行い、さらに押圧することで装着動作が終わると共に図４の弓型板バネ押え部１１、１２が復元力により圧接されロック状態となる装着部を有することを特徴とする。なお、図１の装着した書面等を付した表示部２を持ち上げることで、図４の弓型板バネ脱着係止部の押え部１１、１２が、図４の係合受け部５、６により内側から押されることで開口し、ロック状態が解除され取り外すことができることを特徴とする。
【０００９】
また、普及しているコーンには図５のコーンカバー４に係合受け部５、６及び７、８を設け、図１コーン本体１に上からかぶせることで、コーン本来の形状を損ねること無く必用とする書面等を付した表示部２を簡単に装着することができる。なお、装着を手早く行うため図３の弓型板バネ脱着係止部９、１０の先端部は１３より１４を５mm程度長くすることで、弓型板バネの先端部１４を係合受け部６に先に整合させ、弓型板バネの先端部１３を係合受け部５に後で合わせて、図３の書面等を付した表示部２を弓型板バネ脱着係止部９、１０に沿わせて上面から押圧することで簡単に装着できる。また、図７の係合受け部１５、１６の導入口１９、２０を左右に広げることで、図３の書面等を付した表示部２の整合をより簡単に行うことができ作業性を向上させる。なお、必用に応じて図１に示すようにコーン本体１の両側に書面等を付した表示部２及び表示部３を装着することもできる。また、コーンカバーにはコーンと同様の材質でポリ塩化ビニール樹脂やポリエチレン製等を使用することが有効である。
【００１０】
なお、気象条件等が変化してもできる限りコーンは転倒しないでその姿勢を保つことが重要であることから、図１の書面等を付した表示部２及び３にあたる瞬間的な玉風を逃がすため、図３の弓型板バネ脱着係止部９、１０と図２の係合受け部１５、１６の横幅を１対１.２程度とし弓型板バネ脱着係止部側の横幅を小さくし、左右の動きに裕度を持たせることでコーンの転倒防止効果につながる。
【００１１】  また、図２及び図５に示す係合受け部１５、１６、１７、１８及び５、６、７、８は、図２のコーン本体側及び図５のコーンカバー側のどちらに形成してもよい。【００１２】なお、係合受け部と弓型板バネ脱着係止部を、図２のコーン本体１に対する一方向、即ち、上下の方向に沿って複数個（図２で２箇所）設けることで、表示部を垂直に装着することが出来、風などで剥がれ飛ぶことがないように弓型板バネの押え効果を強化させることができる。
【産業上の利用可能性】
【００１３】
災害現場や工事現場、お店の営業等でコーンに書面等を付した表示部を装着することで、きめ細かなお知らせや注意を喚起することができる。この商品は設置や撤去に手間を掛けないでコーンの視認性を向上させることができ、ワンタッチで目的別の表示部に取り替えることができ、部材をシンプルにすることで軽量化を図る。小さなスペースに設置することができ、大きな効果が期待できると共に省力化につながる。災害の発生が危惧される今日、緊急時にも対応できるように必要と思われる文言の書面等を付した表示部を準備して、応急的にコーンに表示部を装着し災害現場等に設置することが最も簡単で有効な手段で有ると思われる。また、普及しているコーンには係合受け部を設けたコーンカバーを上からかぶせるだけで、コーン本来の形状を損ねること無く、簡単な方法で通行止めや災害発生等の文言を付した表示部を装着することができコーンの有効利用が考えられる。緊急時には手間を掛けないで準備ができること、大きい物や重量のある表示部は作業をする人に敬遠されることから、軽くて扱いやすさに重点をおき通行者の安全誘導などに効果的な商品として普及を図る。
【符号の説明】
【００１４】
１．コーン本体
２．書面等を付した表示部
３．書面等を付した表示部
４．係合受け部を設けたコーンカバー
５．コーンカバーに設けた係合受け部
６．コーンカバーに設けた係合受け部
７．コーンカバーに設けた係合受け部
８．コーンカバーに設けた係合受け部
９．表示部に設けた弓型板バネ脱着係止部
１０．表示部に設けた弓型板バネ脱着係止部
１１．表示部に設けた弓型板バネ脱着係止部の押え部
１２．表示部に設けた弓型板バネ脱着係止部の押え部
１３．表示部に設けた弓型板バネ脱着係止部の先端部
１４．表示部に設けた弓型板バネ脱着係止部の先端部
１５．コーンに設けた係合受け部
１６．コーンに設けた係合受け部
１７．コーンに設けた係合受け部
１８．コーンに設けた係合受け部
１９．コーンに設けた係合受け部の導入口
２０．コーンに設けた係合受け部の導入口
【要約】      （修正有）【課題】コーン単体での設置は多くが、表示部を取り付けたコーンはあまり普及していない。簡単な操作で、表示部をコーンに装着することができると共に、状況に応じワンタッチで取替ができ、作業効率が良く経済的であり表示コーンを提供する。【解決手段】コーン本体１、或いはコーン本体に装着するコーンカバー４に表示部２，３を装着するために、係合受け部と弓型板バネ脱着係止部の一方を設け、表示部２，３に前記係合受け部と弓型板バネ脱着係止部の他方を設け、前記係合受け部と弓型脱着系止部を整合させ表示部２，３をコーン本体１に対して上面方向から押圧することで前記弓型板バネ脱着係止部の押え部が開口されて装着動作を行い、さらに押圧することで装着動作が終わると共に、前記弓型板バネ押え部が復元力により圧接されロック状態となる装着部を有することを特徴とする表示コーン。【選択図】図１【図１】
0005527737.tif 000002
【図２】
0005527737.tif 000003
【図３】
0005527737.tif 000004
【図４】
0005527737.tif 000005
【図５】
0005527737.tif 000006
【図６】
0005527737.tif 000007
【図７】
0005527737.tif 000008